(57)【要約】【課題】視聴者としての病院内患者に負担を与えず、例えば患者ひとりひとりのニーズに合致した視聴情報をより高い広告効果をもって配信することができ、ひいては病院のサービス向上に繋がる院内情報配信システム、院内情報配信方法又は院内情報配信プログラムを提供すること。【解決手段】この院内情報配信システムＳは、予め所定の記録媒体（ＤＶＤ等）に記録され、衛星を用いて電波配信され、又はインターネットを介して配信された映像コンテンツを病室内の患者に向けて配信するための院内情報配信システムであって、映像コンテンツを発信するためのＤＶＤプレーヤ１０と、ＤＶＤプレーヤ１０より発信された映像コンテンツを病室に配置されたテレビ３０ａ〜３０ｃに向けて分配する変調設備機器２０と、を有している。【選択図】図１
2007133523.tif 000002
【特許請求の範囲】
【請求項１】
予め所定の記録媒体に記録され、衛星を用いて電波配信され、又はインターネットを介して配信された視聴情報を病室内の患者に向けて配信するための院内情報配信システムであって、
前記視聴情報を発信するための視聴情報発信手段と、
該視聴情報発信手段より発信された前記視聴情報を前記病室に配置された視聴情報提示手段に向けて分配する視聴情報分配手段と、を有することを特徴とする院内情報配信システム。
【請求項２】
前記視聴情報が、映像情報、音声情報又は文字情報のうち少なくともいずれか１の情報であることを特徴とする請求項１に記載の院内情報配信システム。
【請求項３】
前記視聴情報提示手段が、テレビ受像装置であることを特徴とする請求項１に記載の院内情報配信システム。
【請求項４】
テレビ放送の提示と前記視聴情報の提示とを切り替える切替手段と、
該テレビ放送の提示の場合にのみ前記患者に対して使用料課金を行う課金手段と、をさらに有することを特徴とする請求項３に記載の院内情報配信システム。
【請求項５】
広告情報を発信するための広告情報発信手段をさらに有し、
前記視聴情報分配手段が前記視聴情報に加えて該広告情報を分配するとともに前記視聴情報提示手段が前記視聴情報に加えて前記広告情報を前記患者に対して提示することを特徴とする請求項１に記載の院内情報配信システム。
【請求項６】
前記視聴情報が、広告情報を含むことを特徴とする請求項１に記載の院内情報配信システム。
【請求項７】
前記患者の操作に基づいて前記視聴情報発信手段を制御するための制御信号を管理する制御信号管理手段と、
該制御信号管理手段からの前記制御信号に基づいて前記視聴情報発信手段の動作を制御する視聴情報制御手段と、をさらに有することを特徴とする請求項１に記載の院内情報配信システム。
【請求項８】
前記視聴情報分配手段から前記視聴情報提示手段への前記視聴情報の分配を無線通信により行う無線通信手段をさらに有することを特徴とする請求項１に記載の院内情報配信システム。
【請求項９】
予め所定の記録媒体に記録され、衛星を用いて電波配信され、又はインターネットを介して配信された視聴情報を病室内の患者に向けて配信するための院内情報配信方法であって、
前記視聴情報を発信するステップと、
発信された前記視聴情報を分配するステップと、
分配された前記視聴情報を前記病室内に配置されたテレビの画面に表示するステップと、を有することを特徴とする院内情報配信方法。
【請求項１０】
前記患者ごとに割り振られた患者識別情報を取得するステップと、
複数の前記テレビごとに割り振られたテレビ識別情報を取得するステップと、
前記患者識別情報と前記テレビ識別情報とを関連付けるステップと、
前記患者識別情報に基づいて、複数の前記視聴情報から該患者識別情報に関連付けられた前記テレビ識別情報に対応するテレビの画面に表示すべき視聴情報を選別するステップと、をさらに有することを特徴とする請求項９に記載の院内情報配信方法。
【請求項１１】
広告情報を発信するステップをさらに有し、前記画面に前記視聴情報に加えて前記広告情報を表示することを特徴とする請求項９に記載の院内情報配信方法。
【請求項１２】
複数の表示領域に分割表示された前記画面の一部の表示領域に前記視聴情報を表示するステップと、
前記画面の他の一部の表示領域に前記広告情報を表示するステップと、をさらに有することを特徴とする請求項１１に記載の院内情報配信方法。
【請求項１３】
前記画面に前記視聴情報と前記広告情報とを重ね合わせるように表示するステップをさらに有することを特徴とする請求項１１に記載の院内情報配信方法。
【請求項１４】
前記患者ごとに割り振られた患者識別情報を取得するステップと、
複数の前記テレビごとに割り振られたテレビ識別情報を取得するステップと、
前記患者識別情報と前記テレビ識別情報とを関連付けるステップと、
前記患者識別情報に基づいて、複数の前記広告情報から該患者識別情報に関連付けられた前記テレビ識別情報に対応するテレビの画面に表示すべき広告情報を選別するステップと、をさらに有することを特徴とする請求項１１に記載の院内情報配信方法。
【請求項１５】
前記テレビの画面に前記視聴情報が表示中であるか否かを指標する視聴率情報を取得するステップをさらに有することを特徴とする請求項９に記載の院内情報配信方法。
【請求項１６】
複数の前記テレビごとに割り振られたテレビ識別情報を取得するステップと、
該テレビ識別情報と前記視聴率情報とを関連付けるステップと、をさらに有することを特徴とする請求項１５に記載の院内配信方法。
【請求項１７】
予め所定の記録媒体に記録され、衛星を用いて電波配信され、又はインターネットを介して配信された視聴情報を病室内の患者に向けて配信するための院内情報配信プログラムであって、
コンピュータに、
視聴情報発信手段に前記視聴情報を発信させるための機能、
前記患者ごとに割り振られた患者識別情報を取得する機能、
複数の前記テレビごとに割り振られたテレビ識別情報を取得する機能、
前記患者識別情報と前記テレビ識別情報とを関連付ける機能、及び、
前記患者識別情報に基づいて、複数の前記視聴情報から該患者識別情報に関連付けられた前記テレビ識別情報に対応するテレビの画面に表示すべき視聴情報を選別する機能、を実現させることを特徴とする院内情報配信プログラム。
【請求項１８】
コンピュータに、
前記テレビの画面に前記視聴情報に加えて広告情報を表示させる機能、及び、
前記テレビの画面に前記視聴情報が表示中であるか否かを指標する視聴率情報を取得する機能、をさらに実現させることを特徴とする請求項１７に記載の院内情報配信プログラム。
【発明の詳細な説明】
【技術分野】
【０００１】
本発明は、病院内において映像情報、音声情報又は文字情報等の視聴情報を配信するシステム、方法及びプログラムに係り、特に入院中の患者が病室において視聴するテレビの画面に、ＤＶＤ等の記録媒体に記録された映像コンテンツや放送衛星によって電波配信された映像コンテンツを広告情報とともに表示させる配信システム及び配信方法に関する。
【背景技術】
【０００２】
従来より、病院の病室内では入院患者等がテレビ（テレビ受像装置）によりテレビ放送番組を視聴することが可能となっている。入院中の患者は、病状に応じて食生活、娯楽、運動等の生活環境が制限されている場合が多く、入院中の楽しみが少ない。また、病院外部への出歩きも制限されている場合が多く、入院中に得られる情報も日常生活から得られる情報に比べ随分と制限される。そのような患者にとって、テレビ放送の視聴は貴重な娯楽のひとつであり、また、重要な情報源のひとつとなっている。
【０００３】
一般に、病室内で視聴するためのテレビを患者が自由に持ち込みすることはできず、病院側によって又は病院と関連ある業者によって貸出用のテレビが用意されている。患者はこの貸出用テレビを借受け、視聴用のプリペイドカードを購入してテレビ番組を視聴する。
【０００４】
テレビにはプリペイドカードを挿入可能な課金装置が設けられており、課金装置にプリペイドカードを挿入することによりテレビ番組が視聴可能となる。テレビを点けると視聴時間に応じてプリペイドカードの残高が引き落とされ、残高がなくなるとテレビが視聴できなくなるようになっている。
【０００５】
この貸出用テレビは、通常のテレビ放送（例えば、地上波アナログテレビ放送）番組のみが視聴可能ないわゆる一般的なテレビであることが多い。また、各病室のベッドサイドには、このテレビのアンテナ線を接続するためのアンテナ端子が設けられている。なお、このような課金装置を有したテレビについては例えば特許文献１〜３に開示されている。
【特許文献１】特開２００２−０７４４６９
【特許文献２】特開２０００−２３５４２８
【特許文献３】特開平０８−３１７３７０
【発明の開示】
【発明が解決しようとする課題】
【０００６】
しかしながら、この貸出用のテレビは通常のテレビ放送番組しか視聴できないので、視聴者である患者に飽きられやすいという問題がある。このテレビが通常のテレビ放送番組のみならず、その病院や地域特有の映像コンテンツ（以下、独自映像コンテンツという。）も視聴することができれば、患者にとって視聴の選択幅が広がり好都合である。
【０００７】
特に、入院中の患者は一般の健常者とは異なり、自らの精神的・肉体的な健康状態や病状の軽減・回復に関する情報に強い興味を有する場合が多い。したがって、通常のテレビ放送番組よりも、例えば癒しを目的とするヒーリング映像、食事や栄養摂取に関する情報番組、体操のレッスン番組等に対する興味が強いと考えられる。したがって、これらの映像コンテンツを通常のテレビ放送番組とは別に配信すれば、患者が楽しめるばかりでなく、病状の軽減や回復に寄与する場合も有り得る。
【０００８】
病院内では娯楽や運動等が制限されることが多いため、患者は長時間に渡ってテレビを視聴する傾向にある。いわゆる病院内でのテレビ視聴率に相当する数値（以下、院内視聴率という。）は一般に極めて高いため、独自映像コンテンツに広告情報を加えれば高い広告効果が期待できる。独自映像コンテンツの内容や広告情報が患者ひとりひとりのニーズに合致したものであれば、その効果はなお一層高いものとなる。したがって、独自映像コンテンツや広告情報を患者の病状に合わせて病棟ごと・病室ごと・患者ごとに配信できれば非常に高い広告効果が期待でき、広告主にとっても患者にとっても好ましい状況となる。
【０００９】
また現状では、患者がテレビ放送番組を視聴するためには、料金を支払ってプリペイドカードを購入する必要がある。しかし、上述のように患者が映像コンテンツを視聴することによって高い広告効果が発揮できれば、病院内でのテレビ視聴に関する費用を広告主に負担させることが可能となる。ひいては、視聴者としての患者に費用負担を強いる必要がなくなり、患者が金銭的負担を受けることなく無料でテレビ視聴を楽しめることとなる。
【００１０】
本発明は上記の事情に鑑みて為されたもので、視聴者としての病院内患者に負担を与えず、例えば患者ひとりひとりのニーズに合致した視聴情報をより高い広告効果をもって配信することができ、ひいては病院のサービス向上に繋がる院内情報配信システム、院内情報配信方法又は院内情報配信プログラムを提供することを例示的課題とする。
【課題を解決するための手段】
【００１１】
上記の課題を解決するために、本発明の例示的側面としての院内情報配信システムは、予め所定の記録媒体に記録され、衛星を用いて電波配信され、又はインターネットを介して配信された視聴情報を病室内の患者に向けて配信するための院内情報配信システムであって、視聴情報を発信するための視聴情報発信手段と、視聴情報発信手段より発信された視聴情報を病室に配置された視聴情報提示手段に向けて分配する視聴情報分配手段と、を有することを特徴とする。
【００１２】
通常のテレビ放送のみならず、それとは異なる視聴情報も病室内の患者に提示することができるので、患者にとって視聴の選択の幅が広がって飽きにくくなる。地域情報や病院情報等の独自の情報を提示することができるので、より患者のニーズに合致した視聴情報の提示が可能となり、病院側のサービス向上に繋がって患者にも喜ばれる。
【００１３】
ここで、所定の記録媒体とは、例えばＨＤ（ハードディスク）、ＤＶＤ、ＣＤ等を意味する。すなわち、視聴情報発信手段としては、ＨＤＤ（ハードディスクドライブ）、ＤＶＤプレーヤ、ＣＤプレーヤ等を意味する。もちろん、衛星を用いて電波配信された視聴情報（衛星放送）を発信する場合は、衛星放送チューナ（アンプを含む）が視聴情報発信手段となる。視聴情報分配器は、視聴情報の信号を各病室に向けて分配する分配器（分波器又はＨｕｂ）であり、例えば変調設備機器がこれに相当する。
【００１４】
視聴情報が、映像情報、音声情報又は文字情報のうち少なくともいずれか１の情報であってもよい。病院内には様々な病状を抱えた患者（例えば目の不自由な患者、耳の不自由な患者等）が存在する。そのような患者の病状に合わせて映像情報（映像コンテンツ等）のみならず、必要に応じて音声情報（音楽等）や文字情報（文字ニュース等）も視聴情報として提示可能である。
【００１５】
視聴情報が映像情報の場合は、視聴情報提示手段がテレビ受像装置（以下、テレビと略す。）であることが望ましい。テレビで独自映像コンテンツを提示することにより、患者のニーズに合致した様々な情報を提供することが可能となる。もちろん、視聴情報が音声情報の場合は、視聴情報提示手段がスピーカーやヘッドフォンであってもよいし、視聴情報が文字情報の場合は、視聴情報提示手段が携帯電話機や携帯情報端末（ＰＤＡ）であってもよい。ここで情報の「提示」とは、映像情報や文字情報の表示、音声情報の発音等を含む概念である。
【００１６】
テレビ放送の提示と視聴情報の提示とを切り替える切替手段と、テレビ放送の提示の場合にのみ患者に対して使用料課金を行う課金手段と、をさらに有してもよい。
【００１７】
切替手段によりテレビ放送の提示と視聴情報の提示とに切り替えることが可能となっているので、患者は両方の視聴を楽しむことができ、病院のサービス向上に繋がる。テレビ放送の提示の場合にのみ従来通りに課金を行うので、課金システムの変更を最小限に抑えつつ、視聴情報の視聴の際の無料化とテレビ放送の視聴の際の従来通りの料金回収を両立させることができる。
【００１８】
広告情報を発信するための広告情報発信手段をさらに有し、視聴情報分配手段が視聴情報に加えて広告情報を分配するとともに視聴情報提示手段が視聴情報に加えて広告情報を患者に対して提示してもよい。
【００１９】
広告情報発信手段には、視聴情報発信手段と同様にＨＤＤ、ＤＶＤプレーヤ、ＣＤプレーヤ、衛星放送チューナ（アンプを含む）等が考えられる。この広告情報発信手段により視聴情報に加えて広告情報を発信するので、患者に対して効果的な広告を行うことができる。患者のニーズに合致した広告情報を発信し、それを視聴情報提示手段により患者に提示することで高い広告効果を得ることができ、ひいては広告主からの広告費用の回収によって患者に対する視聴無料化に寄与することができる。
【００２０】
視聴情報が、広告情報を含んでいてもよい。視聴情報としての映像コンテンツ自体が広告情報を含むことにより、別途広告情報を発信する必要なく高い広告効果を得ることができる。例えば、ドラマ番組内で使用される家具や自動車等の商品に商品名やメーカ名を明示的又は暗示的に示すことにより、別途広告情報を作成して配信することなくそれらの商品の広告効果を高めることができる。
【００２１】
患者の操作に基づいて視聴情報発信手段を制御するための制御信号を管理する制御信号管理手段と、制御信号管理手段からの制御信号に基づいて視聴情報発信手段の動作を制御する視聴情報制御手段と、をさらに有してもよい。
【００２２】
患者の操作に基づく制御信号を制御信号管理手段が管理し、その制御信号に基づいて視聴情報発信手段の動作制御を行うことにより、患者が視聴情報発信手段を遠隔操作することができる。すなわち双方向通信が可能となり、例えば視聴情報としての映画コンテンツ等のオンデマンド配信が可能となる。
【００２３】
視聴情報分配手段から視聴情報提示手段への視聴情報の分配を無線通信により行う無線通信手段をさらに有してもよい。これにより、新たに大掛かりな情報配信用の設備の設置を行う必要なく、視聴情報提示手段への視聴情報の分配を容易に行うことができる。また、情報分配ケーブルによる視聴情報の分配に比べて電磁波による診療機器への影響も却って小さくなるという効果も得られる。
【００２４】
本発明の他の例示的側面としての院内情報配信方法は、予め所定の記録媒体に記録され、衛星を用いて電波配信され、又はインターネットを介して配信された視聴情報を病室内の患者に向けて配信するための院内情報配信方法であって、視聴情報を発信するステップと、発信された視聴情報を分配するステップと、分配された視聴情報を病室内に配置されたテレビの画面に表示するステップと、を有することを特徴とする。
【００２５】
通常のテレビ放送のみならず、それとは異なる視聴情報も病室内に配置されたテレビ画面に表示することができるので、患者にとって視聴の選択の幅が広がって飽きにくくなる。地域情報や病院情報等の独自の情報をテレビ表示することができるので、より患者のニーズに合致した視聴情報の表示が可能となり、病院側のサービス向上に繋がって患者にも喜ばれる。
【００２６】
患者ごとに割り振られた患者識別情報を取得するステップと、複数のテレビごとに割り振られたテレビ識別情報を取得するステップと、患者識別情報とテレビ識別情報とを関連付けるステップと、患者識別情報に基づいて、複数の視聴情報から患者識別情報に関連付けられたテレビ識別情報に対応するテレビの画面に表示すべき視聴情報を選別するステップと、をさらに有してもよい。
【００２７】
これにより、患者ひとりひとりに応じた視聴情報を患者のテレビごとに表示することができる。例えば、患者のカルテ内容からその患者の病棟、病室、病状等を識別して病棟ごと、病室ごと又は患者ごとに異なる視聴情報を選別して発信することにより、さらに一層患者のニーズに合致した視聴情報の提供が可能となり、院内視聴率の向上を図ることができる。
【００２８】
広告情報を発信するステップをさらに有し、画面に視聴情報に加えて広告情報を表示してもよい。患者のニーズに合致した広告情報を発信し、それをテレビ画面に表示することで高い広告効果を得ることができ、ひいては広告主からの広告費用の回収によって患者に対する視聴無料化に寄与することができる。
【００２９】
複数の表示領域に分割表示された画面の一部の表示領域に視聴情報を表示するステップと、画面の他の一部の表示領域に広告情報を表示するステップと、をさらに有してもよい。
【００３０】
視聴情報と広告情報とを領域に分けてテレビ画面に表示することにより、一方の情報  の一部が他方の情報によって見えなくなってしまうことがなく、両情報とも正確かつ明確に画面表示することができる。また、患者にとっても視聴情報と広告情報とを区別しやすく視認や理解が容易となる。
【００３１】
画面に視聴情報と広告情報とを重ね合わせるように表示するステップをさらに有してもよい。両情報を重ね合わせるように表示することにより、一方の情報表示の領域が他方の情報表示の領域によって制限されることがなく、両情報ともテレビ画面全体を有効に利用して表示することができる。したがって、情報に文字等が含まれている場合に、大きく表示することができて読み易くなる。テレビ画面を複数の領域に分割表示するためのソフトウェアシステム又はハードウェアシステムも不要となる。
【００３２】
患者ごとに割り振られた患者識別情報を取得するステップと、複数のテレビごとに割り振られたテレビ識別情報を取得するステップと、患者識別情報とテレビ識別情報とを関連付けるステップと、患者識別情報に基づいて、複数の広告情報から患者識別情報に関連付けられたテレビ識別情報に対応するテレビの画面に表示すべき広告情報を選別するステップと、をさらに有してもよい。
【００３３】
これにより、患者ひとりひとりに応じた広告情報を患者のテレビごとに表示することができる。例えば、患者のカルテ内容からその患者の病棟、病室、病状等を識別して病棟ごと、病室ごと又は患者ごとに異なる広告情報を選別して発信することにより、さらに一層患者のニーズに合致した広告情報の提供が可能となり、院内視聴率の向上を図ることができる。
【００３４】
テレビの画面に視聴情報が表示中であるか否かを指標する視聴率情報を取得するステップをさらに有してもよい。視聴率情報を取得することにより院内視聴率を算出することが容易となる。すなわち、病院内でどのくらいの割合の患者が、どのような時間帯に視聴情報を視聴しているかを示す統計データを容易に得ることができる。
【００３５】
複数のテレビごとに割り振られたテレビ識別情報を取得するステップと、テレビ識別情報と視聴率情報とを関連付けるステップと、をさらに有してもよい。これにより、テレビ識別情報ごとの院内視聴率を把握することができる。したがって、どのような視聴情報、広告情報がそのテレビを視聴する患者のニーズにより合致しているかを容易に把握することができ、より質の高い（すなわち患者のニーズに合致した）視聴情報の提供に寄与することができる。また、広告主から広告費用を回収する際に、その広告費用を院内視聴率に基づいて容易に算出することができる。
【００３６】
本発明のさらに他の例示的側面としての院内情報配信プログラムは、予め所定の記録媒体に記録され、衛星を用いて電波配信され、又はインターネットを介して配信された視聴情報を病室内の患者に向けて配信するための院内情報配信プログラムであって、コンピュータに、視聴情報発信手段に視聴情報を発信させるための機能、患者ごとに割り振られた患者識別情報を取得する機能、複数のテレビごとに割り振られたテレビ識別情報を取得する機能、患者識別情報とテレビ識別情報とを関連付ける機能、及び、患者識別情報に基づいて、複数の視聴情報から患者識別情報に関連付けられたテレビ識別情報に対応するテレビの画面に表示すべき視聴情報を選別する機能、を実現させることを特徴とする。
【００３７】
通常のテレビ放送のみならず、それとは異なる視聴情報も病室内に配置されたテレビ画面に表示することができるので、患者にとって視聴の選択の幅が広がって飽きにくくなる。地域情報や病院情報等の独自の情報をテレビ表示することができるので、より患者のニーズに合致した視聴情報の表示が可能となり、病院側のサービス向上に繋がって患者にも喜ばれる。さらに、患者ひとりひとりに応じた視聴情報を患者のテレビごとに表示することができる。例えば、患者のカルテ内容からその患者の病棟、病室、病状等を識別して病棟ごと、病室ごと又は患者ごとに異なる視聴情報を選別して発信することにより、さらに一層患者のニーズに合致した視聴情報の提供が可能となり、院内視聴率の向上を図ることができる。
【００３８】
コンピュータに、テレビの画面に視聴情報に加えて広告情報を表示させる機能、及び、テレビの画面に視聴情報が表示中であるか否かを指標する視聴率情報を取得する機能、をさらに実現させてもよい。
【００３９】
患者のニーズに合致した広告情報を発信し、それをテレビ画面に表示することで高い広告効果を得ることができ、ひいては広告主からの広告費用の回収によって患者に対する視聴無料化に寄与することができる。さらに、視聴率情報を取得することにより院内視聴率を算出することが容易となる。すなわち、病院内でどのくらいの割合の患者が、どのような時間帯に視聴情報を視聴しているかを示す統計データを容易に得ることができる。
【００４０】
本発明の更なる目的又はその他の特徴は、以下添付図面を参照して説明される好ましい実施の形態によって明らかにされるであろう。
【発明の効果】
【００４１】
本発明によれば、視聴者としての病院内患者に対し、テレビ放送以外の視聴情報を提供することができるので、患者の視聴の選択幅を広げることができ、飽きられることなく患者の興味を惹きつけることができる。患者ひとりひとりのニーズに合致した視聴情報を高い広告効果をもって配信することができ、患者の満足度の向上、院内視聴率のさらなる向上、広告効果の向上、患者の視聴料金の無料化等様々な効果を得ることができる。すなわち患者に対する病院のサービス向上を図ることができる。
【発明を実施するための最良の形態】
【００４２】
［実施の形態１］
以下、本発明の実施の形態１に係る院内情報配信システムについて図面を用いて説明する。図１は、院内情報配信システムＳの全体構成を示す概略ブロック図である。院内情報配信システムＳは、病院内の患者に向けて視聴情報を配信するもので、ＤＶＤプレーヤ１０、ＣＤプレーヤ１２、衛星放送チューナ１４、ＨＤ（ハードディスク）ドライブ１５、広告情報発信手段１６、変調設備機器２０を有して大略構成されている。
【００４３】
ＤＶＤプレーヤ１０、ＣＤプレーヤ１２、衛星放送チューナ１４、ＨＤドライブ１５はいずれも視聴情報発信手段であって、映像情報、音声情報、文字情報又はそれらの組み合せである視聴情報を発信するためのものである。視聴情報は、視聴者に視聴されることを目的として提示（表示又は発音）されるべき映像、音声、文字又はそれらの組み合せに係る情報を意味する。視聴者は、視聴情報を視聴する者すべてを意味するが、本発明は院内情報配信システムに係るものであるため、便宜上視聴者と患者とを同義に扱うこととする。もちろんこの院内情報配信システムＳを病院のみならず、他の施設、例えば会社、介護センター、ショッピングモール等に適用することも可能である。つまり、特定の目的を持って、又は特定の状態に置かれた人々（会社の場合は社員、介護センターの場合は要介護者、ショッピングモールの場合は買い物客）が集まった集合施設であればこの院内情報配信システムＳを適用することができる。
【００４４】
ＤＶＤプレーヤ１０は、所定の記録媒体としてのＤＶＤ（Ｄｉｇｉｔａｌ  Ｖｅｒｓａｔｉｌｅ  Ｄｉｓｃ）に予め記録された映像コンテンツ（映像情報、音声情報、文字情報の組み合せ）を再生して発信するものである。ＣＤプレーヤ１２は、所定の記録媒体としてのＣＤ（Ｃｏｍｐａｃｔ  Ｄｉｓｃ）に予め記録された音楽を再生して発信するものである。衛星放送チューナ１４はアンプを含み、衛星を用いて電波配信された衛星放送を受信して変調設備機器２０に向けて発信するためのものである。ＨＤドライブ１５はインターネットに接続されており、インターネットを介して配信される視聴情報を内部のＨＤに記録して変調設備機器２０に向けて発信するためのものである。ＨＤドライブ１５は、インターネットを介して配信される視聴情報を変調設備機器２０に向けてストリーミング配信することもできる。
【００４５】
これらは、病院Ｈ内の所定の位置に配置され、変調設備機器２０と接続されて、選択的に視聴情報の発信が可能とされている。もちろん、これら視聴情報発信手段は病院Ｈ外の所定位置に配置されていてもよい。
【００４６】
なお、視聴情報としては、患者（視聴者）のニーズに合わせて種々の情報が考えられる。例えば患者の癒しを目的とする場合には、ヒーリング映像、ヒーリングミュージック等を視聴情報とすることもできる。患者の体力増強を目的とする場合には、体操、トレーニング、フィットネス等を主題としたレッスン番組を視聴情報とすることもできる。また、食事や栄養摂取に関する番組、病院内施設に関する案内番組、病院近隣地域の紹介番組、通信販売番組等を視聴情報とすることもできる。目の不自由な患者向けに朗読番組を視聴情報としたり、耳の不自由な患者向けに音声を文字表示した番組や手話を用いた番組を視聴情報とすることもできる。
【００４７】
いずれにしても、視聴者が病院の患者であることを前提として患者のニーズに合致した視聴情報を発信することにより、一般の視聴者をターゲットにした番組を発信するよりも非常に高い興味を惹くことができる。通信販売番組においても、栄養補助食品や体力増強用健康器具、ストレス解消グッズ等を商品とすれば、一般視聴者向けの場合に比べて高い院内視聴率を確保することが可能となる。
【００４８】
広告情報発信手段１６は、広告情報を変調設備機器２０に向けて発信するためのものであり、視聴情報発信手段と同様、ＤＶＤプレーヤ、ＣＤプレーヤ、衛星放送チューナ、ＨＤドライブ等が使用される。広告情報は視聴情報と同様に映像情報、音声情報、文字情報又はそれらの組み合せに係る情報であるが、通常は広告主となる店舗や企業から回収する広告費用によって、視聴情報と別に製作されるものである。
【００４９】
広告情報においても、視聴者が患者であることを前提として患者のニーズに合致した広告情報を発信することにより、一般の視聴者をターゲットにした広告情報を発信するよりも非常に高い興味を惹くことができる点では視聴情報と同様である。
【００５０】
なお、本実施の形態１においては、視聴情報と別に製作された広告情報を発信する広告情報発信手段１６が院内情報配信システムＳに備えられているが、もちろん視聴情報が広告情報を含んでいてもよい。例えば、視聴情報が記録されたＤＶＤに視聴情報と別に広告情報も記録されていてもよいし、視聴情報としての番組内に使用される商品に商品名やメーカ名を明示的又は暗示的に示すことにより視聴情報内に渾然として広告情報が含まれていてもよい。このような場合は、広告情報発信手段１６が不要となる。
【００５１】
変調設備機器（視聴情報分配手段）２０は、視聴情報発信手段（ＤＶＤプレーヤ１０、ＣＤプレーヤ１２、衛星放送チューナ１４、ＨＤドライブ１５）と接続されており、視聴情報発信手段より発信された視聴情報を複数の各テレビ３０ａ〜３０ｃに向けて分配するためのものである。変調設備機器２０には、無線送信装置（無線通信手段の一部）２１が取り付けられており、視聴情報をテレビ３０ａ〜３０ｃに向けて無線送信する機能を有している。
【００５２】
テレビ（視聴情報提示手段）３０ａ〜３０ｃは、変調設備機器２０により分配された視聴情報を病室の患者に対して提示するためのもので病室内に配置されている。視聴情報が映像情報や文字情報の場合は、情報をテレビ３０ａ〜３０ｃの画面３２ａ〜３２ｃに表示する。また、視聴情報が音声情報の場合は、テレビ３０ａ〜３０ｃが備えるスピーカ（図示せず）から発音する。
【００５３】
テレビ３０ａ〜３０ｃには、それぞれ無線受信装置（無線通信手段の一部）３４ａ〜３４ｃが接続されている。無線受信装置３４ａ〜３４ｃは、無線送信装置２１から送信された視聴情報を受信し、各テレビ３０ａ〜３０ｃへと送るようになっている。各テレビ３０ａ〜３０ｃは、それぞれ病室内に配置されたアンテナ端子（図示せず）にもケーブル接続され、通常のテレビ放送も受信可能となっている。また、各テレビ３０ａ〜３０ｃは、それぞれ切替スイッチ（切替手段）３６ａ〜３６ｃと課金ユニット（課金手段）３８ａ〜３８ｃとを備えている。
【００５４】
切替スイッチ３６ａ〜３６ｃを操作することによって、テレビ画面３２ａ〜３２ｃに表示する情報をテレビ放送と視聴情報とに切り替えることが可能となっている。切替スイッチ３６ａ〜３６ｃを操作してテレビ画面３２ａ〜３２ｃに通常のテレビ放送を表示する際には、課金ユニット３８ａ〜３８ｃは予め患者が購入してその挿入口に挿入しておいたプリペイドカード（図示せず）から視聴時間に応じた残高の引き落とし動作（課金動作）を行う。しかしながら、切替スイッチ３６ａ〜３６ｃを操作してテレビ画面３２ａ〜３２ｃに視聴情報を表示する際には、課金ユニット３８ａ〜３８ｃは課金動作を行わないようになっている。
【００５５】
次に、この院内情報配信システムＳの動作について、図２に示すフローチャートを用いて説明する。
【００５６】
まず、ＤＶＤプレーヤ１０にＤＶＤをセットする（Ｓ．１）。このＤＶＤには視聴情報としての映像コンテンツが記録されている。その映像コンテンツは、例えば病院が独自に製作した独自映像コンテンツである。
【００５７】
もちろん、ＤＶＤの他に、ＣＤプレーヤ１２に視聴情報としての音楽が記録されたＣＤをセットしてもよいし、衛星を用いて電波配信された視聴情報としての衛星放送コンテンツを衛星放送チューナ１４によって受信してもよい。インターネットを介して配信される映像コンテンツをＨＤドライブ１５によって受信してもよい。
【００５８】
ＤＶＤプレーヤ１０によりＤＶＤを再生すると、独自映像コンテンツが変調設備機器２０に向けて発信される（Ｓ．２）。このとき、チャンネルセレクター（図示しない）によって自動的に複数の視聴情報発信手段の中からＤＶＤプレーヤ１０が選択され、ＤＶＤプレーヤ１０からの独自映像コンテンツが変調設備機器２０へと発信可能となる。もちろんチャンネルセレクターは手動切替えのものであってもよい。
【００５９】
独自映像コンテンツの発信とともに、広告情報発信手段１６から広告情報が変調設備機器２０に向けて発信される（Ｓ．３）。そして、これら独自映像コンテンツ及び広告情報は変調設備機器２０によって分配され（Ｓ．４）、変調設備機器２０に取り付けられた無線送信装置２１によって無線送信される（Ｓ．５）。
【００６０】
無線送信された独自映像コンテンツ及び広告情報は、複数の無線受信装置３４ａ〜３４ｃによって受信され（Ｓ．６）、それぞれ接続された複数のテレビ３０ａ〜３０ｃへと送信される。
【００６１】
テレビ３０ａ〜３０ｃの切替スイッチ３６ａ〜３６ｃがそれぞれテレビ放送表示用に切り替えられている場合は（Ｓ．７）、テレビ画面３２ａ〜３２ｃにテレビ放送の番組が表示され（Ｓ．８）、無線受信した独自映像コンテンツ及び広告情報はテレビ画面３２ａ〜３２ｃに表示されない。この場合、各テレビ３０ａ〜３０ｃに備えられた課金ユニット３８ａ〜３８ｃは、予め患者によって挿入されているプリペイドカードに対して課金動作を行う（Ｓ．９）。
【００６２】
しかし、切替スイッチ３６ａ〜３６ｃがそれぞれ独自映像コンテンツ及び広告情報表示用に切り替えられている場合は（Ｓ．７）、テレビ画面３２ａ〜３２ｃに独自映像コンテンツ及び広告情報が表示される（Ｓ．１０）。この場合、各テレビ３０ａ〜３０ｃに備えられた課金ユニット３８ａ〜３８ｃは、課金動作を行わない（Ｓ．１１）。
【００６３】
ここで、独自映像コンテンツ及び広告情報をテレビ画面３２ａ〜３２ｃに表示する方法として種々の方法が考えられる。例えば図３（ａ）に示すように、テレビ画面３２ａを映像コンテンツ表示領域３３ａと広告情報表示領域３３ｂとの２つの表示領域に分割表示し、映像コンテンツ表示領域３３ａに独自映像コンテンツを表示しつつ広告情報表示領域３３ｂに広告情報を文字情報や映像情報として表示してもよい。
【００６４】
その他のバリエーションとして、例えば図３（ｂ）に示すように、テレビ画面３２ａを３つの表示領域に分割表示し、映像コンテンツ表示領域３３ａ、広告情報表示領域３３ｂ、付属情報表示領域３３ｃとしてもよい。この付属情報表示領域３３ｃには、適宜、広告情報表示領域３３ｂに表示される広告情報とは異なる広告情報が表示されたり、文字ニュース情報が移動表示（画面の一端から他端に向けて文字が連続的に流れるように移動する表示）されたりする。
【００６５】
また、図３（ｃ）に示すように、テレビ画面３２ａを複数の表示領域に分割することなく、独自映像コンテンツと広告情報６０とを画面全体に重ね合わせるように表示してもよい。これにより、どちらの情報も大きく表示することができ、例えば視力の弱い患者に対しても大きな文字で情報表示を行うことができる。
【００６６】
もちろん、通常のテレビ放送におけるＣＭ放送のように、独自映像コンテンツの開始前、終了後又は合間にテレビ画面３２ａ全面を使用した広告情報の表示を行ってもよい。また、独自映像コンテンツ内で使用される商品に商品名やメーカ名を明示的又は暗示的に示すことにより、独自映像コンテンツ内に広告情報を含めてテレビ画面３２ａに表示してもよい。
［実施の形態２］
【００６７】
本発明の実施の形態２に係る院内情報配信システムＴについて説明する。図４は、院内情報配信システムＴの全体構成を示す概略ブロック図である。なお、本実施の形態２において実施の形態１と同様の構成については、同様の符号を付して説明を省略する。
【００６８】
この院内情報配信システムＴは、視聴情報配信サーバ２、統括管理装置６、ＤＶＤプレーヤ１０、ＣＤプレーヤ１２、衛星放送チューナ１４、ＨＤドライブ１５、変調設備機器２０、を有して大略構成される。この院内情報配信システムＴは、広告情報発信手段１６を有していない。すなわち、視聴情報が広告情報を含んでおり、視聴情報の発信とともに広告情報も発信されることとなる。なお、テレビ３０ａ〜３０ｃは病室Ａに、テレビ３０ｄ〜３０ｆは病室Ｂに設置されている。
【００６９】
視聴情報配信サーバ２は、内部に院内情報配信プログラムを備えたコンピュータである。視聴情報配信サーバ２は、視聴情報発信手段としてのＤＶＤプレーヤ１０、ＣＤプレーヤ１２、衛星放送チューナ１４、ＨＤドライブ１５と接続されており、これらに視聴情報を発信させる機能を院内情報配信プログラムによって実現している。
【００７０】
視聴情報配信サーバ２は、後述する統括管理装置６とも接続されており、統括管理装置６から受信した制御信号に基づいてＤＶＤプレーヤ１０、ＣＤプレーヤ１２、衛星放送チューナ１４、ＨＤドライブ１５の動作を制御する視聴情報制御手段としても機能する。また、病室に設置された複数のテレビ３０ａ〜３０ｆごとに割り振られたテレビ識別情報を統括管理装置６から取得する機能も院内情報配信プログラムによって実現している。
【００７１】
さらに、視聴情報配信サーバ２は、患者情報管理サーバ４とも接続されている。この患者情報管理サーバ４は、患者ごとの住所や氏名等の個人情報、病棟、病室、病状、入院期間、担当医師等の個別情報（患者識別情報）を管理するためのコンピュータである。視聴情報配信サーバ２は、患者情報管理サーバ４からそれぞれの患者ごとの患者識別情報を取得する機能も院内情報配信プログラムによって実現している。
【００７２】
統括管理装置６は、制御信号管理手段、テレビ識別情報管理手段、視聴率情報管理手段として機能する。
【００７３】
制御信号は、テレビ３０ａ〜３０ｆを視聴する患者が視聴情報発信手段の動作を制御するための信号である。例えば、複数の視聴情報の中から視聴したい視聴情報を選択する場合に、患者がリモコン送信機４０ａ〜４０ｆを操作することによって視聴情報を選択するための制御信号が発信される。発信された制御信号は、それぞれテレビ３０ａ〜３０ｆのリモコン受信部３１ａ〜３１ｆによって受信され、統括管理部６へと送られるようになっている。制御信号管理手段として機能する統括管理装置６は、各テレビ３０ａ〜３０ｆからの制御信号を受け取り、各テレビ３０ａ〜３０ｆのテレビ識別情報とそれぞれ関連付けて視聴情報配信サーバ２に向けて送信する。視聴情報配信サーバ２は、受け取った制御情報に基づいて視聴情報発信手段の動作制御を行い、視聴情報発信手段に患者が選択した視聴情報を発信させる。その際、視聴情報配信サーバ２は、視聴情報とテレビ識別情報とを関連付けて変調設備機器２０に向けて発信させる。変調設備機器２０は、受け取ったテレビ識別情報に基づき、そのテレビ識別情報に対応するテレビに向けてそのテレビ識別情報に関連付けられた視聴情報を配信する。これによりオンデマンド情報配信が可能となっている。
【００７４】
複数のテレビ３０ａ〜３０ｆは、それぞれ個別に割り振られたテレビ識別情報を有している。テレビ３０ａ〜３０ｆが統括管理装置６に接続されると、そのテレビ識別情報がテレビ識別情報管理手段として機能する統括管理装置６へと送られる。統括管理装置６は、テレビ識別情報を視聴情報配信サーバ２へと送信する。
【００７５】
また、各テレビ３０ａ〜３０ｆの画面３２ａ〜３２ｆにそれぞれ視聴率情報が表示中であるか否かを指標する視聴率情報が統括管理装置６へと送られる。視聴率情報は、各テレビ３０ａ〜３０ｆの電源がオンであるかオフであるか、切替スイッチ３６ａ〜３６ｆがテレビ放送用に切り替えられているか視聴情報表示用に切り替えられているか、さらに複数の視聴情報のうちどの視聴情報が表示中であるかを示す情報である。視聴率情報管理手段として機能する統括管理装置６は、各テレビ３０ａ〜３０ｆから視聴率情報を受け取り、その視聴率情報と各テレビ３０ａ〜３０ｆのテレビ識別情報とを関連付けて視聴情報配信サーバ２に向けて送信する。視聴情報配信サーバ２は、受け取った視聴率情報に基づいて各視聴情報及び各広告情報の院内視聴率を算出し、その院内視聴率に基づいて広告主から回収すべき広告費用を算出する。
【００７６】
視聴情報配信サーバ２は、患者情報管理サーバ４から取得した患者識別情報と統括管理装置６から取得したテレビ識別情報とを関連付ける機能を院内情報配信プログラムによって実現している。これにより、どの病棟のどの病室のどのような病状の患者がどのテレビを視聴しているかを把握することができる。例えば、本実施の形態２においてテレビ３０ａ〜３０ｃが病室Ａに配置され、テレビ３０ｄ〜３０ｆが病室Ｂに配置されていることを把握することができる。したがって、病棟ごと、病室ごと、病状ごとの院内視聴率の算出も容易に行うことができる。
【００７７】
また、視聴情報配信サーバ２は、複数の視聴情報及び広告情報の中から患者識別情報に関連付けられたテレビ識別情報に対応するテレビ画面３２ａ〜３２ｆに表示すべき視聴情報及び広告情報を、その患者識別情報に基づいて選別する機能を院内情報配信プログラムによって実現している。
【００７８】
例えば、食事が制限されている患者に、料理番組や食料品に関する広告情報を提供することは好ましくない。また、寝たきりの患者に対して運動用品に関する広告情報を提供しても広告効果の向上は図れない。したがって、患者の興味を惹き、患者に喜ばれ、患者にとって有益な情報を提供することによってより一層の院内視聴率の向上、広告効果の向上を図るためには、患者識別情報に基づいて提供する視聴情報及び広告情報を選別することが望ましい。
【００７９】
この院内情報配信システムＴにおいては、視聴情報配信サーバ２が患者からの制御信号を受け取らない場合には、視聴情報配信サーバ２が患者識別情報に基づいてその患者にとって有益な視聴情報及び広告情報を選別し、その患者が視聴するテレビに向けて選別された視聴情報及び広告情報を配信させる。また、患者からの制御信号（視聴した視聴情報を選択する信号）を受け取った場合には、選択された視聴情報がその患者にとって有益か否か（すなわち、選択された視聴情報をその患者に視聴許可するか否か）を患者識別情報に基づいて判断する。その結果、有益である（視聴許可）と判断した場合は、制御信号に基づいて選択された視聴情報をその患者が視聴するテレビに向けて配信させるが、有益でない（視聴禁止）と判断した場合には、選択された視聴情報をその患者が視聴するテレビに向けて配信させない。例えば、病室Ａに配置されているテレビ３０ａ〜３０ｃに対して料理番組を配信しないようにしたり、病室Ｂに配置されているテレビ３０ｄ〜３０ｆに対して運動用品の広告情報を含む視聴情報を配信しないようにしたりする。
【００８０】
有益でない（視聴禁止）の場合に、制御信号に基づいて選択された視聴情報をその患者が視聴するテレビに向けて配信させるものの、例えば図５に示すように、テレビ画面３２ａに表示される視聴情報５０の大部分を隠すように広告情報６０を重ね合わせて表示してもよい。視聴情報５０の大部分が視聴できないので、実質的に視聴禁止と同様の効果を得ることができる。
【００８１】
以上、本発明の好ましい実施の形態を説明したが、本発明はこれらに限定されるものではなく、その要旨の範囲内で様々な変形や変更が可能である。
【図面の簡単な説明】
【００８２】
【図１】本発明の実施の形態１に係る院内情報配信システムの全体構成を示す概略ブロック図である。
【図２】図１に示す院内情報配信システムの動作を説明するフローチャートである。
【図３】テレビ画面に映像コンテンツ及び広告情報を表示する例を示す表示例であって、（ａ）は、テレビ画面を映像コンテンツ表示領域と広告情報表示領域との２つの表示領域に分割表示した例であり、（ｂ）は、テレビ画面を映像コンテンツ表示領域、広告情報表示領域、付属情報表示領域の３つの表示領域に分割表示した例であり、（ｃ）は、独自映像コンテンツと広告情報とを重ね合わせるように表示した例である。
【図４】本発明の実施の形態２に係る院内情報配信システムの全体構成を示す概略ブロック図である。
【図５】視聴情報の大部分を隠すように広告情報を重ね合わせて表示した表示例である。
【符号の説明】
【００８３】
Ａ，Ｂ：病室
Ｈ：病院
Ｓ，Ｔ：院内情報配信システム
２：視聴情報配信サーバ（コンピュータ、視聴情報制御手段）
４：患者情報管理サーバ
６：統括管理装置（制御信号管理手段、テレビ識別情報管理手段、視聴率情報管理手段）
１０：ＤＶＤプレーヤ（視聴情報発信手段）
１２：ＣＤプレーヤ（視聴情報発信手段）
１４：衛星放送チューナ（視聴情報発信手段）
１５：ＨＤドライブ（視聴情報発信手段）
１６：広告情報発信手段
２０：変調設備機器（視聴情報分配手段）
２１：無線送信装置（無線通信手段の一部）
３０ａ〜３０ｆ：テレビ（テレビ受像装置）
３１ａ〜３１ｆ：リモコン受信部
３２ａ〜３２ｆ：テレビ画面
３３ａ：映像コンテンツ表示領域（一部の表示領域）
３３ｂ：広告情報表示領域（他の一部の表示領域）
３３ｃ：付属情報表示領域（他の一部の表示領域）
３４ａ〜３４ｃ：無線受信装置（無線通信手段の一部）
３６ａ〜３６ｃ：切替スイッチ（切替手段）
３８ａ〜３８ｃ：課金ユニット（課金手段）
４０ａ〜４０ｆ：リモコン送信機
５０：視聴情報
６０：広告情報
【図１】
2007133523.tif 000003
【図２】
2007133523.tif 000004
【図３】
2007133523.tif 000005
【図４】
2007133523.tif 000006
【図５】
2007133523.tif 000007